(57)【要約】【課題】現在放送中の複数の放送番組のうち最も注目されている放送番組の放送チャンネルを、ユーザが意図するタイミングにおいて、ユーザの簡単な操作によって選局することができる【解決手段】ユーザがリモコン６のダイレクト選局ボタン４０を押下すると、選局指示部３８は、現在放送中の最も注目されている放送番組の放送チャンネルを選局するように、放送受信部１２に指示する。【選択図】図１
2013135466.tif 000002
【特許請求の範囲】
【請求項１】
複数の放送チャンネルのうちいずれか一つを選局する選局手段と、
現在放送中である複数の放送番組のうち、放送番組に関するコメントの投稿が可能な実況サイトにおいて一定期間内に投稿された当該コメントの数が最も多い放送番組を特定するための番組特定情報を取得する取得手段と、
上記コメントの数が最も多い上記放送番組を選択するための選択部が備えられた操作装置から出力された、当該選択部がユーザによって選択されたことを示す信号を受信する信号受信手段と、
上記信号受信手段が上記信号を受信したとき、上記番組特定情報によって特定される上記番組を放送する上記放送チャンネルを選局するように、上記選局手段に対して指示する指示手段とを備えていることを特徴とする電子機器。
【請求項２】
上記実況サイトから、各上記放送チャンネルにおいて現在放送されている各放送番組に関して上記実況サイトに投稿された上記コメントのデータを取得するコメントデータ取得手段と、
上記コメントのデータに基づき、上記放送番組ごとに、上記一定期間内の上記コメントの数を算出する算出手段と、
上記算出手段によって算出されたコメントの数が最も多い放送番組を特定するための上記番組特定情報を生成する生成手段とをさらに備えていることを特徴とする請求項１に記載の電子機器。
【請求項３】
ディスプレイと、
上記ディスプレイに電子番組表を表示する表示手段とをさらに備えていることを特徴とする請求項１または２に記載の電子機器。
【請求項４】
上記表示手段は、上記コメントの数が最も多い上記放送番組に対応する上記放送チャンネルの表示欄に、当該放送チャンネルが最も注目されていることを示す表示物を含んでいる上記電子番組表を、上記ディスプレイに表示することを特徴とする請求項３に記載の電子機器。
【請求項５】
上記表示手段は、上記放送番組ごとに、当該放送番組に対応する上記放送チャンネルの表示欄に、当該放送番組の上記コメントの数を表す表示物を含んでいる上記電子番組表を、上記ディスプレイに表示することを特徴とする請求項３または４に記載の電子機器。
【請求項６】
上記表示手段は、上記放送番組ごとに、当該放送番組の表示欄を当該放送番組の上記コメントの数の順序に対応する色に着色した上記電子番組表を、上記ディスプレイに表示することを特徴とする請求項３〜５のいずれか１項に記載の電子機器。
【請求項７】
上記操作装置は、リモートコントローラであることを特徴とすることを特徴とする請求項１〜６のいずれか１項に記載の電子機器。
【請求項８】
テレビジョン装置であることを特徴とする請求項１〜７のいずれか１項に記載の電子機器。
【請求項９】
請求項１〜８のいずれか１項に記載の電子機器と、解析サーバとを備えており、
上記解析サーバは、
上記実況サイトから、各上記放送チャンネルにおいて現在放送されている各放送番組に関して上記実況サイトに投稿された上記コメントのデータを取得するコメントデータ取得手段と、
上記コメントのデータに基づき、上記放送番組ごとに、上記一定期間内の上記コメントの数を算出する算出手段と、
上記算出手段によって算出されたコメントの数が最も多い上記放送番組を特定するための上記番組特定情報を生成する生成手段と
上記番組特定情報を上記電子機器に送信する送信手段とを備え、
上記電子機器は、
上記解析サーバから送信される上記番組特定情報を受信する受信手段をさらに備えていることを特徴とする放送システム。
【請求項１０】
請求項１から８のいずれか１項に記載の電子機器を動作させるプログラムであって、コンピュータを上記の各手段として機能させるためのプログラム。
【請求項１１】
請求項１０に記載のプログラムを記録しているコンピュータ読み取り可能な記録媒体。
【発明の詳細な説明】
【技術分野】
【０００１】
本発明は、放送番組を再生する電子機器、テレビジョン装置、放送システム、プログラム、および記録媒体に関する。
【背景技術】
【０００２】
従来、テレビの視聴者は、現在放送中の各放送番組のうち、多くの視聴者の間で注目されている放送番組を視聴したいと思ったとき、コンピュータを利用して、放送番組に関するコメントの投稿および閲覧が可能な、インターネット上の実況サイトにアクセスし、どの放送番組が該当するのかを自ら調べる必要があった。しかし、それは視聴者にとっては面倒な作業である。
【０００３】
そこで、近年、現在放送中の複数の放送番組のうち、何らかの形で多くの視聴者の注目を集めている放送番組に関する情報を、テレビジョン装置のユーザに対して伝える技術が開発されている。
【０００４】
特許文献１には、流動的に変化する今現在のリアルタイムな視聴情報を収集・集計した集計結果をリアルタイムにユーザ端末に送信することにより、今現在のリアルタイムな視聴情報を視聴者に伝える情報提供システムが開示されている。
【０００５】
特許文献２には、テレビ番組に関するコメント情報を集計し、テレビ番組ごとのコメント情報数を算出して人気度情報を求める人気度調査装置が開示されている。
【０００６】
特許文献３には、放送視聴時に視聴統計情報の送信要求をネットワーク部に発行するともに、前記ネットワーク部から転送されてくる視聴統計情報を表示部へ転送する視聴端末装置が開示されている。
【０００７】
特許文献４には、ネットワークを介して複数のテレビ受信端末と管理サーバとが接続された番組選択システムにおいて、前記テレビ受信端末は、前記管理サーバから送信されたリアルタイムに変動するデータに基づいて番組選択を行う番組選択システムが開示されている。
【先行技術文献】
【特許文献】
【０００８】
【特許文献１】特開２００３−２８４００８号明細書（２００３年１０月３日公開）
【特許文献２】特開２００９−２１２６３０号明細書（２００９年９月１７日公開）
【特許文献３】特開２０１０−２０６４４７号明細書（２０１０年９月１６日公開）
【特許文献４】特開２０１０−２１２９５３号明細書（２０１０年９月２４日公開）
【発明の概要】
【発明が解決しようとする課題】
【０００９】
しかし、特許文献１〜３の技術は、注目されている番組がどれであるのかを、ユーザに伝えるだけにとどまる。その番組を視聴するためには、ユーザは、番組の放送チャンネルを特定した上で、さらに、その番組に切り替えるための操作を行う必要がある。
【００１０】
一方、特許文献４の技術では、ユーザが意図しないタイミングで、勝手に放送チャンネルが切り替わってしまう。
【００１１】
本発明は、上記の課題に鑑みて為されたものであり、その目的は、現在放送中の放送番組のうち最も注目されている放送番組を、ユーザが意図するタイミングにおいて、ユーザの簡単な操作によって選局することができる電子機器を提供することにある。
【課題を解決するための手段】
【００１２】
本発明に係る電子機器は、上記の課題を解決するために、
複数の放送チャンネルのうちいずれか一つを選局する選局手段と、
現在放送中である複数の放送番組のうち、放送番組に関するコメントの投稿が可能な実況サイトにおいて一定期間内に投稿された当該コメントの数が最も多い放送番組、を特定するための番組特定情報を取得する取得手段と、
上記コメントの数が最も多い上記放送番組を選択するための選択部が備えられた操作装置から出力された、当該選択部がユーザによって選択されたことを示す信号を受信する信号受信手段と、
上記信号受信手段が上記信号を受信したとき、上記番組特定情報によって特定される上記番組を放送する上記放送チャンネルを選局するように、上記選局手段に対して指示する指示手段とを備えていることを特徴としている。
【００１３】
上記の構成によれば、電子機器は、ユーザが操作装置の選択部を選択すると、現在放送中の放送番組のうち、視聴者の間で現在最も注目されている放送番組の放送チャンネルを選局する。これによりユーザは、現在最も注目されている（盛り上がっている）放送番組を視聴したいとき、簡単な操作でそれを実現することができる。また、最も注目されている放送番組の放送チャンネルを確認したり、その放送チャンネルに選局したりするための操作をわざわざ行う必要が無い。したがって、最も注目されている放送番組をの放送チャンネル選局する際の手間を減らすことができる。また、電子機器は、放送番組を自動で切り替えずに、ユーザが意図するタイミングで切り替える。
【００１４】
以上のように、本発明に係る電子機器は、現在放送中の放送番組のうち最も注目されている放送番組の放送チャンネルを、ユーザが意図するタイミングにおいて、ユーザの簡単な操作によって選局することができる。
【００１５】
また、本発明に係る電子機器では、さらに、
上記実況サイトから、各上記放送チャンネルにおいて現在放送されている各放送番組に関して上記実況サイトに投稿された上記コメントのデータを取得するコメントデータ取得手段と、
上記コメントのデータに基づき、記放送番組ごとに、上記一定期間内の上記コメントの数を算出する算出手段と、
上記算出手段によって算出されたコメントの数が最も多い放送番組を特定するための上記番組特定情報を生成する生成手段とをさらに備えていることが好ましい。
【００１６】
上記の構成によれば、電子機器が自ら、最もコメントの数が多い放送番組を特定するための処理を実行する。
【００１７】
また、本発明に係る電子機器では、さらに、
ディスプレイと、
上記ディスプレイに電子番組表を表示する表示手段とをさらに備えていることが好ましい。
【００１８】
また、本発明に係る電子機器では、さらに、
上記表示手段は、上記コメントの数が最も多い上記放送番組に対応する上記放送チャンネルの表示欄に、当該放送チャンネルが最も注目されていることを示す表示物を含んでいる上記電子番組表を、上記ディスプレイに表示することが好ましい。
【００１９】
上記の構成によれば、ユーザは、現在放送中の複数の放送番組のうち、視聴者の間でどれが現在最も注目されているのかを、電子番組表において素早く確認することができる。
【００２０】
また、本発明に係る電子機器では、さらに、
上記表示手段は、上記放送番組ごとに、当該放送番組に対応する上記放送チャンネルの表示欄に、当該放送番組の上記コメントの数を表す表示物を含んでいる上記電子番組表を、上記ディスプレイに表示することが好ましい。
【００２１】
上記の構成によれば、ユーザは、現在放送中の複数の放送番組が、それぞれどれくらい注目されているのかを、電子番組表において素早く確認することができる。
【００２２】
また、本発明に係る電子機器では、さらに、
上記表示手段は、上記放送番組ごとに、当該放送番組の表示欄を当該放送番組の上記コメントの数の順序に対応する色に着色した上記電子番組表を、上記ディスプレイに表示することが好ましい。
【００２３】
上記の構成によれば、ユーザは、現在放送中の複数の放送番組が、それぞれどれくらい注目されているのかを、電子番組表において素早く確認することができる。
【００２４】
また、本発明に係る電子機器では、さらに、
上記操作装置は、リモートコントローラであることが好ましい。
【００２５】
上記の構成によれば、ユーザは、現在最も注目されている放送番組の放送チャンネルを、素早くかつ楽に選局することができる。
【００２６】
また、本発明に係る電子機器は、さらに、テレビジョン装置であることが好ましい。
【００２７】
上記の構成によれば、現在放送中の放送番組のうち最も注目されている放送番組の放送チャンネルを、ユーザが意図するタイミングにおいて、ユーザの簡単な操作によって選局することができるテレビジョン装置を提供することができる。
【００２８】
本発明に係る放送システムは、上記の課題を解決するために、
上述した電子機器と、解析サーバとを備えており、
上記解析サーバは、
上記実況サイトから、各上記放送チャンネルにおいて現在放送されている各放送番組に関して上記実況サイトに投稿された上記コメントのデータを取得するコメントデータ取得手段と、
上記コメントのデータに基づき、記放送番組ごとに、上記一定期間内の上記コメントの数を算出する算出手段と、
上記算出手段によって算出されたコメントの数が最も多い放送番組を特定するための上記番組特定情報を生成する生成手段と、
上記番組特定情報を上記電子機器に送信する送信手段とを備え、
上記電子機器は、
上記解析サーバから送信される上記番組特定情報を受信する受信手段をさらに備えていることを特徴としている。
【００２９】
上記の構成によれば、現在放送中の複数の放送番組のうち最も注目されている放送番組の放送チャンネルを、ユーザが意図するタイミングにおいて、ユーザの簡単な操作によって選局することができる。
【００３０】
上記電子機器は、コンピュータによって実現してもよい。この場合、コンピュータを上記各手段として動作させることにより上記電子機器をコンピュータにおいて実現するプログラム、およびそのプログラムを記録したコンピュータ読み取り可能な記録媒体も、本発明の範疇に入る。
【発明の効果】
【００３１】
本発明に係る電子機器は、現在放送中の複数の放送番組のうち最も注目されている放送番組の放送チャンネルを、ユーザが意図するタイミングにおいて、ユーザの簡単な操作によって選局することができる。
【図面の簡単な説明】
【００３２】
【図１】本発明の一実施形態に係るテレビジョン装置の要部構成を示すブロック図である。
【図２】本発明の一実施形態に係るテレビジョン装置、および複数の実況サイトがインターネットに接続されている様子を示す図である。
【図３】本発明の一実施形態に係るテレビジョン装置が実況サイトから取得するコメントログデータの一例を示す図である。
【図４】本発明の一実施形態に係るテレビジョン装置が、現在放送中の各放送番組のコメント数を算出する際の処理の流れを示すフローチャートである。
【図５】本発明の一実施形態に係るテレビジョン装置が、一定期間内のコメント数が最大であることを示すマークを電子番組表に表示する際の処理の流れを示すフローチャートである。
【図６】本発明の一実施形態に係るテレビジョン装置が、放送番組のコメント数を示す棒グラフ、および、一定期間内のコメント数が最大であることを示すマークを含んでいる電子番組表を示す図である。
【図７】本発明の一実施形態に係るテレビジョン装置が、放送番組の表示欄をコメント数の順序に対応する色に着色する際の処理の流れを示す図である。
【図８】操作パネルを表示したディスプレイを示す図である。
【図９】最もコメント数の多い放送番組の情報を操作パネルに表示している様子を示す図である。
【図１０】コメントの多い順に一覧にした放送番組の情報を表示している操作パネルを示す図である。
【図１１】本発明の一実施形態に係る放送システムの要部構成を示すブロック図である。
【図１２】本発明の一実施形態に係るテレビジョン装置の要部構成を示すブロック図である。
【図１３】本発明の一実施形態に係る解析サーバの要部構成を示すブロック図である。
【発明を実施するための形態】
【００３３】
〔実施形態１〕
本発明に係る一実施形態について、図１〜図１０を参照して以下に説明する。
【００３４】
（テレビジョン装置１）
図１は、本発明の一実施形態に係るテレビジョン装置１（電子機器）の要部構成を示すブロック図である。この図に示すように、テレビジョン装置１は、アンテナ１０、放送受信部１２（選局手段）、分離部１４、音声デコード部１６、映像デコード部１８、アンプ２０、映像処理部２２（表示手段）、スピーカ２４、ディスプレイ２６、リモコン受信部２８（信号受信手段）、通信部３０（取得手段、コメントデータ取得手段）、コメント数算出部３２（算出手段）、メモリ３４、注目番組特定部３６（生成手段）、および選局指示部３８（指示手段）を備えている。
【００３５】
テレビジョン装置１は、放送局から送信される放送波を受信し、デコードして、放送番組を再生する装置である。ユーザは、リモートコントローラ６（リモコン６、操作装置）を用いて、テレビジョン装置１を操作する。テレビジョン装置１が放送番組を再生する際の処理の流れについて、以下に簡単に説明する。
【００３６】
まず放送受信部１２が、アンテナ１０を通じて放送波を受信する。アンテナ１０は、例えば、地上デジタル放送、ＢＳ放送、またはＣＳ放送に対応したアンテナである。放送受信部１２は、複数の放送チャンネルのうちいずれか１つの放送チャンネルを選局する。その際、選局した放送チャンネルの放送データを放送波から抽出して、分離部１４に出力する。分離部１４は、受け取った放送データから、音声データおよび映像データをそれぞれ分離し、音声データを音声デコード部１６に出力し、映像データを映像デコード部１８に出力する。音声デコード部１６は、音声データをデコードすることによって音声信号を生成し、アンプ２０に出力する。映像デコード部１８は、映像データをデコードすることによって映像信号を生成し、映像処理部２２に出力する。
【００３７】
アンプ２０は、入力された音声信号を増幅し、スピーカ２４に出力する。これにより、放送番組の音声が、スピーカ２４から流れる。映像処理部２２は、入力された映像信号に所定の映像処理を施してから、ディスプレイ２６に出力する。これにより、放送番組の画面がディスプレイ２６に表示される。こうしてテレビジョン装置１は、放送番組を再生する。ユーザは、テレビジョン装置１を用いて放送番組を視聴する。
【００３８】
テレビジョン装置１は、単に放送番組を再生する機能を有しているだけではなく、インターネット２を通じて実況サイト４から所定のデータを入手することによって、ユーザによる放送番組の選局行為を支援する機能も有している。この点について、以下に詳細に説明する。
【００３９】
（実況サイト４）
図２は、本発明の一実施形態に係るテレビジョン装置１、および複数の実況サイト４がインターネット２に接続されている様子を示す図である。この図に示すように、テレビジョン装置１は、インターネット２を通じて、各実況サイト４にアクセスすることができる。各実況サイト４は、現在放送中の放送番組に関するコメントを、ユーザが投稿したり閲覧したりすることができるウェブサイトである。各実況サイト４は、サイトの見栄えや投稿時の機能等に、それぞれ独自の特色を有してはいるが、いずれも、放送番組に関するコメントを投稿する点において違いはない。
【００４０】
（コメントログデータ）
実況サイト４は、ユーザからのコメントの投稿があるたびに、コメントのログを保存するためのコメントログデータを更新する。すなわち、新たなコメントを、コメントログデータに追加保存する。図３は、本発明の一実施形態に係るテレビジョン装置１が実況サイト４から取得するコメントログデータの一例を示す図である。この図には、コメントログデータの一部を示す。コメントログデータは、実況サイト４の名称、および複数のコメントデータを含んでいる。図８では、コメントデータ４２，４４，４６が、それぞれ、第１のユーザ〜第３のユーザが実況サイト４に書き込んだコメントを表す。各コメントデータは、ユーザ名、投稿時刻、放送チャンネル、番組名、および書き込み内容を含んでいる。書き込み内容が、ユーザが投稿したコメントに相当する。なお、各コメントデータは、投稿者の属性情報をさらに含んでいても良い。属性情報の例としては、性別、年齢、職業、居住地などがある。テレビジョン装置は、このような属性情報を用いることによって、放送番組に対するコメントをよりきめ細かく解析することができる。
【００４１】
（コメント数の算出）
本実施形態のテレビジョン装置１は、実況サイト４から図３に示すようなコメントログデータを取得する。そして、取得したコメントログデータを解析することによって、現在放送中の各放送番組に対して投稿されたコメントの数を算出する。その際の処理の流れを、図４を参照して以下に説明する。
【００４２】
図４は、本発明の一実施形態に係るテレビジョン装置１が、現在放送中の各放送番組のコメント数を算出する際の処理の流れを示すフローチャートである。この図に示すように、まず通信部３０が、いずれかの実況サイト４から、コメントログデータを取得する（ステップＳ１）。その際、通信部３０は、前回コメントログデータを取得した時点から、現時点までの、コメントログデータの差分データを取得する。通信部３０は、取得したコメントログデータをコメント数算出部３２に出力する。
【００４３】
コメント数算出部３２は、受け取ったコメントログデータをメモリ３４に保存する。ｓらに、コメントログデータを解析して、現在放送中の放送番組に対して一定期間内に実況サイト４に投稿されたコメントの数を、放送番組ごとに算出する。具体的には、投稿時刻が一定時間内にあり、かつ、番組名が同じコメントデータをコメントログデータから抽出し、そのとき抽出したデータの数を、放送番組に対するコメント数として算出する（ステップＳ３）。コメント数算出部３２は、現在放送中の放送番組の全てのついて、同様の処理を実行することによって、各放送番組のコメント数を算出する。なお、コメント数算出部３２は、現在放送中の放送番組がどれであるのかを、電子番組表から特定する。コメント数算出部３２は、算出したコメント数をメモリ３４に保存する（ステップＳ４）。メモリ３４は、たとえばフラッシュメモリなどの不揮発性メモリである。または、ＲＡＭなどの揮発性メモリであってもよい。
【００４４】
テレビジョン装置１は、ステップ４の処理が終了したあと、一定待機する（ステップＳ５）。これは、新たなコメントが実況サイト４に投稿されるのを待つためである。そして、一定時間が経過したら、再びステップ１に戻って、図３の処理を係属する。これによりテレビジョン装置１は、実況サイト４から定期的にコメントログデータを取得し、各放送番組に対して投稿されたコメントの数を定期的に更新し続ける。
【００４５】
なお、実況サイト４は、チャンネルごとに、個別にコメントログデータを生成することもできる。この場合、テレビジョン装置１は、いずれかの実況サイト４にアクセスしたあと、受信可能な全てのチャンネルを対象にして、図４に示すステップＳ２からＳ４の処理を実行する。
【００４６】
（電子番組表の表示）
図５は、本発明の一実施形態に係るテレビジョン装置１が、一定期間内のコメント数が最大であることを示すマーク６４を電子番組表に表示する際の処理の流れを示すフローチャートである。
【００４７】
この図に示すように、注目番組特定部３６は、メモリ３４に保存されている、放送番組ごとのコメント数を参照することによって、一定期間内のコメント数が最大の放送番組を特定する（ステップＳ１１）。その際、コメント数算出部３２は、その放送番組を特定するための番組特定情報を生成する。この番組特定情報は、現在放送中である複数の放送番組のうち、実況サイト４において一定期間内に投稿された当該コメントの数が最も多い放送番組を特定するための情報であるとも言える。コメント数算出部３２は、生成した番組特定情報を映像処理部２２に出力する。
【００４８】
映像処理部２２は、番組特定情報に基づき、図６に示す電子番組表をディスプレイ２６に表示する。図６は、本発明の一実施形態に係るテレビジョン装置１が、放送番組のコメント数を示す棒グラフ６０、および、一定期間内のコメント数が最大であることを示すマーク６４を含んでいる電子番組表を示す図である。
【００４９】
図６に示すように、映像処理部２２は、電子番組表おける、放送番組Ａの放送チャンネルを表示する欄（放送局Ａとラベルされた欄）に、マーク６２を表示する（ステップＳ１２）。このマーク６２は、現在放送中の複数の放送番組のうち、一定期間内のコメント数が最大である放送番組を示している。ユーザは、図６に示す電子番組表を視認することによって、現在放送中の複数の放送番組のうち、視聴者の間でどれが現在最も注目されているのかを、素早く確認することができる。なお、映像処理部２２は、マーク６２を、チャネルの表示欄ではなく、放送番組の表示欄（図６では番組Ａとラベルされた欄）に表示してもよい。
【００５０】
（コメント数の表示）
テレビジョン装置１では、注目番組特定部３６は、メモリ３４内に保存されている、放送番組ごとのコメント数を参照することによって、各放送番組のコメント数を取得し、映像処理部２２に出力することができる。これによりコメント数算出部３２は、現在放送中の各放送番組に対するコメント数を表す何らかの表示物を、電子番組表に表示することができる。図６の例では、映像処理部２２は、放送番組のコメント数を表す棒グラフ６０を、電子番組表における、放送番組に対応する放送チャンネルの表示欄に表示している。これによりユーザは、現在放送中の複数の放送番組が、それぞれどれくらい注目されているのかを、電子番組表において素早く確認することができる。なお、映像処理部２２は、棒グラフ６０ではなく、コメント数を表す記号を表すこともできる。たとえば星印（★）を、コメント数に比例して最大５つまで表示するようにすれば、ユーザは、★の数に基づく放送番組の注目度を把握することができる。
【００５１】
また、映像処理部２２は、棒グラフ６０のような画像ではなく、コメント数を数字としてそのまま電子番組表に表示してもよい。その際、コメント数の相対値（最大値を１００とする）を表示することもできる。
【００５２】
（放送番組表示欄の着色）
図７は、本発明の一実施形態に係るテレビジョン装置１が、放送番組の表示欄をコメント数の順序に対応する色に着色する際の処理の流れを示す図である。この図に示すように、注目番組特定部３６は、メモリ３４内に保存されている、放送番組ごとのコメント数を参照することによって、一定期間内のコメント数が多い順に、５つの放送番組を特定する（ステップＳ２１）。そして、これらの放送番組を特定するための番組特定情報を生成し、映像処理部２２に出力する。映像処理部２２は、電子番組表における、特定した各放送番組の表示欄を着色する（ステップＳ２２）。その際、コメント数の順番に応じた色に着色する。たとえば、コメント数の多い順に赤色、橙色、黄色、緑色、青色とする。これによりユーザは、現在放送中の複数の放送番組が、それぞれどれくらい注目されているのかを、電子番組表において素早く確認することができる。
【００５３】
（ダイレクト選局）
リモコン６０は、ダイレクト選局ボタン４０（選択部）を備えている。ダイレクト選局ボタン４０は、一定期間内のコメントの数が最も多い放送番組を選択するためのボタンである。ユーザがリモコン６のダイレクト選局ボタン４０を押下すると、テレビジョン装置１は、現在放送中の複数の放送番組のうち最も注目されている放送番組の放送チャンネルを選局する。この機能を実現するための処理について、以下に説明する。
【００５４】
注目番組特定部３６は、メモリ３４に保存されている放送番組ごとのコメント数を参照して、最もコメント数の多い放送番組を特定する。そして、その放送番組を特定するための番組特定情報を生成して、選局指示部３８に出力する。選局指示部３８は、番組特定情報に基づき、現在最も注目されている放送番組を特定する。
【００５５】
ユーザがリモコン６のダイレクト選局ボタン４０を押下すると、リモコン６は、ダイレクト選局ボタン４０が押下されたことを示す信号を生成し、テレビジョン装置１に送信する。テレビジョン装置１では、リモコン受信部２８がこの信号を受信するとともに、信号を受信したことを選局指示部３８に通知する。
【００５６】
選局指示部３８は、この通知を受けたとき、注目番組特定情に基づき特定した放送番組の放送チャンネルを選局するように、放送受信部１２に指示する。これにより放送受信部１２は、指示された放送チャンネルを選局する。この結果、テレビジョン装置１は、現在放送中の複数の放送番組のうち最も注目されている放送番組を再生する。
【００５７】
以上のように、テレビジョン装置１は、ユーザがリモコン６のダイレクト選局ボタン４０を押下すると、現在放送中の放送番組のうち、視聴者の間で現在最も注目されている放送番組の放送チャンネルを選局する。これによりユーザは、現在最も盛り上がっている放送番組を視聴したいとき、簡単な操作でそれを実現することができる。また、最も注目されている放送番組の放送チャンネルを確認したり、その放送チャンネルに選局したりするための操作をわざわざ行う必要が無い。したがって、最も注目されている放送番組の放送チャンネルを選局する際の手間を減らすことができる。さらには、テレビジョン装置１は、放送番組を自動で切り替えずに、ユーザが意図するタイミングで切り替える。まとめると、テレビジョン装置１は、現在放送中の放送番組のうち最も注目されている放送番組の放送チャンネルを、ユーザが意図するタイミングにおいて、ユーザの簡単な操作によって選局することができる。
【００５８】
（操作パネル８０）
テレビジョン装置１では、映像処理部２２は、ディスプレイ２６において、所定の操作パネル８０を表示することができる。図８は、操作パネル８０を表示したディスプレイ２６を示す図である。映像処理部２２は、テレビジョン装置１を操作するための各種のメニューやボタンを操作パネル８０に表示する。さらに、本実施形態では、最も注目されている放送番組を特定するための情報を、操作パネル８０に表示する。図９は、最もコメント数の多い放送番組の情報を操作パネル８０に表示している様子を示す図である。この図に示すように、映像処理部２２は、最もコメント数の多い放送番組を特定するための情報を、操作パネル８０の表示する。図９の例では、放送番組の名称、および、その放送番組の放送チャンネル（テレビ局）の名称を、それぞれ表示する。
【００５９】
図９の操作パネル８０がディスプレイ２６に表示されているとき、ユーザが、「注目度」というラベルにフォーカスがある際にリモコン６の決定ボタン（図示せず）を押下すると、映像処理部２２は、操作パネル８０の表示内容を図１０に示すものに変更する。図１０は、コメントの多い順に一覧にした放送番組の情報を表示している操作パネル８０を示す図である。この図に示す例では、映像処理部２２は、操作パネル８０の上から順に、一定期間内のコメント数がより多い放送番組の情報を、最大５つの放送番組まで表示する。その際、放送番組の名称、および放送番組の放送チャンネルの名称を併記する。ユーザは、図１０に示す操作パネル８０を視認することによって、現在どのような放送番組が良く注目されているのかを素早く把握することができる。
【００６０】
映像処理部２２は、フォーカスがある表示欄に対応する放送番組に関する、注目度の繊維を、図１０の操作パネル８０における下部に表示する。その際、図１０の例では注目度を表すコメント数の遷移を、折れ線グラフにして表示する。ユーザは、このグラフを視認することによって、現在注目度の高いいずれかの放送番組が、過去にどれくらい注目されていたのかを素早く把握することができる。
【００６１】
〔実施形態２〕
本発明に係る第２の実施形態について、図１１〜図１３を参照して以下に説明する。なお、上述した第の実施形態と共通する各部材には同じ符号を付し、詳細な説明を省略する。
【００６２】
（放送システム１００）
図１１は、本発明の一実施形態に係る放送システム１００の要部構成を示すブロック図である。この図に示すように、放送システム１００は、２台のテレビジョン装置１ａおよび１台の解析サーバ８を備えている。
【００６３】
（テレビジョン装置１ａ）
図１２は、本発明の一実施形態に係るテレビジョン装置１ａの要部構成を示すブロック図である。この図に示すように、テレビジョン装置１ａは、アンテナ１０、放送受信部１２、分離部１４、音声デコード部１６、映像デコード部１８、アンプ２０、映像処理部２２、スピーカ２４、ディスプレイ２６、リモコン受信部２８、通信部３０、および選局指示部３８を備えている。すなわちテレビジョン装置１ａは、第１の実施形態に係るテレビジョン装置１とは異なり、コメント数算出部３２、メモリ３４、および注目番組特定部３６を備えていない。これらの部材は、解析サーバ８が備えている。
【００６４】
（解析サーバ８）
図１３は、本発明の一実施形態に係る解析サーバ８の要部構成を示すブロック図である。この図に示すように、解析サーバ８は、コメント数算出部３２、メモリ３４、注目番組特定部３６、および通信部８２（送信手段）を備えている。
【００６５】
本実施形態では、通信部８２が、各実況サイト４からコメントログデータを取得し、コメント数算出部３２に出力する。コメント数算出部３２は、コメントログデータを解析して、現在放送中の放送番組に対して一定期間内に実況サイト４に投稿されたコメントの数を、放送番組ごとに算出し、メモリ３４に保存する。注目番組特定部３６は、メモリ３４に保存されている放送番組ごとのコメント数を参照して、最もコメント数の多い放送番組を特定する。そして、その放送番組を特定するための情報を生成して、通信部８２に出力する。通信部８２は、インターネット２を通じて番組特定情報をテレビジョン装置１ａに送信する。
【００６６】
テレビジョン装置１ａでは、通信部３０が、解析サーバ８から送信された番組特定情報を受信する。通信部３０は、受信した番組特定情報を選局指示部３８に出力する。選局指示部３８は、番組特定情報に基づき、現在最も注目されている放送番組を特定する。そして、リモコン受信部２８が、リモコン６のダイレクト選局ボタン４０が押下されたことを示す信号を受信したことを選局指示部３８に通知すると、選局指示部３８は、番組特定情報された特定した放送番組の放送チャンネルを選局するように、放送受信部１２に指示する。これにより放送受信部１２は、指示された放送チャンネルを選局する。
【００６７】
以上のように、本実施形態の放送システム１００は、第１の実施形態に係るテレビジョン装置１と同様に、現在放送中の複数の放送番組のうち最も注目されている放送番組の放送チャンネルを、ユーザが意図するタイミングにおいて、ユーザの簡単な操作によって選局することができる。さらには、コメントログデータを実況サイト４から取得して解析する機能を、各テレビジョン装置１ａが有する必要がないため、各テレビジョン装置１の構成をより簡素にすることができる。
【００６８】
本発明は上述した各実施形態に限定されるものではない。当業者は、請求項に示した範    囲内において、本発明をいろいろと変更できる。すなわち、請求項に示した範囲内において、適宜変更された技術的手段を組み合わせれば、新たな実施形態が得られる。
【００６９】
例えば本発明は、上述したテレビジョン装置１（１ａ）に限定されない。すなわち本発明は、テレビジョン放送波を受信して放送番組を再生する機能を有する各種の電子機器、例えば、ワンセグ放送を受信可能な携帯電話機またはスマートフォン、あるいはパーソナルコンピュータとしても、実現可能である。さらには、外部ディスプレイおよび外部チューナを備えた電子機器としても、実現可能である。
【００７０】
ある時点でもっともコメント数が高い放送番組をユーザが視聴しているとき、その放送番組とは異なる放送番組に対する一定期間内のコメント数がもっとも多くなった場合、映像処理部２２は、そのことをディスプレイ２６に表示することによって、ユーザに通知するしてもよい。
【００７１】
コメント数算出部３２は、コメントの内容（キーワード）から、放送番組の視聴者の反応（絶賛、反対、嫌悪など）の傾向を把握し、映像処理部２２に通知してもよい。この場合、映像処理部２２は、視聴者の反応の傾向を表すアイコンを、電子番組表に表示する。これにより、ユーザが放送チャンネルの選局する際の判断材料をきめ細かくすることができる。
【００７２】
この機能を実現するための手順の一例は、次のようなものである。まず、実況サイト４から取得したコメントログデータから、視聴者の反応の傾向を表すキーワードを抽出する。次に、抽出したキーワードを、解析対象とした反応の種類ごとに集計し、集計数を放送番組の開始時点からメモリ３４に記録し続けていく。そして、集計数が最も多い反応を表すアイコンを選択し、電子番組表における当該放送番組の表示欄（またはその放送番組の放送チャンネルの表示欄）に表示する。あるいは、放送番組の途中で視聴者による反応が変化する可能性があることを考慮し、集計数の単位時間当たりの増加分が、ある時点でもっと大きい反応を、その時点での反応だと判定し、その反応を表すアイコンを表示するようにしてもよい。
【００７３】
リモコン６は、放送チャンネルを選局するためのＵＰボタンおよびＤＯＷＮボタンを備えている（図示せず）。通常は、これらのボタンをユーザが押下すると、テレビジョン装置１は、現在の放送チャンネルよりの前または後ろの放送チャンネルを選局する。ここで、本発明では、ＵＰボタンまたはＤＯＷＮボタンを押下した際の、放送チャンネルの選局順を、コメント数の順に設定できるようにしてもよい。なお、その際は、ユーザがメニュー画面を通じて設定する。
【００７４】
（プログラムおよび記録媒体）
最後に、テレビジョン装置１（１ａ）に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００７５】
すなわちテレビジョン装置１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００７６】
この記録媒体は、上述した機能を実現するソフトウェアであるテレビジョン装置１のプログラムのプログラムコード（実行形式プログラム、中間コードプログラム、ソースプログラム）をコンピュータで読み取り可能に記録していればよい。テレビジョン装置１に、この記録媒体を供給する。これにより、コンピュータとしてのテレビジョン装置１（またはＣＰＵやＭＰＵ）が、供給された記録媒体に記録されているプログラムコードを読み出し、実行すればよい。
【００７７】
プログラムコードをテレビジョン装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７８】
また、テレビジョン装置１を通信ネットワークと接続可能に構成しても、本発明の目的を達成できる。この場合、上記のプログラムコードを、通信ネットワークを介してテレビジョン装置１に供給する。この通信ネットワークはテレビジョン装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７９】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【００８０】
本発明は、放送波を受信して放送番組を再生する機能を有する各種の電子機器、例えば、テレビジョン装置、携帯電話機、スマートフォン、またはパーソナルコンピュータとして、幅広く利用することができる。
【符号の説明】
【００８１】
１  テレビジョン装置
２  インターネット
４  実況サイト
６  リモコン
１０  アンテナ
１２  放送受信部
１４  分離部
１６  音声デコード部
１８  映像デコード部
２０  アンプ
２２  映像処理部
２４  スピーカ
２６  ディスプレイ
２８  リモコン受信部
３０  通信部
３２  コメント数算出部
３４  メモリ
３６  注目番組特定部
３８  選局指示部
４０  ダイレクト選局ボタン
１００  放送システム
【図１】
2013135466.tif 000003
【図２】
2013135466.tif 000004
【図３】
2013135466.tif 000005
【図４】
2013135466.tif 000006
【図５】
2013135466.tif 000007
【図６】
2013135466.tif 000008
【図７】
2013135466.tif 000009
【図８】
2013135466.tif 000010
【図９】
2013135466.tif 000011
【図１０】
2013135466.tif 000012
【図１１】
2013135466.tif 000013
【図１２】
2013135466.tif 000014
【図１３】
2013135466.tif 000015